(57)【特許請求の範囲】
【請求項１】
取り付け面に取り付けられるパワーコンディショナ装置であって、
前記取り付け面と対向する背面と、第１の吸気口が設けられた第１の側面と、第２の吸気口が設けられた第２の側面と、排気口が設けられた下面とを有する直方体形状の筐体と、
前記筐体内の前記第１の吸気口寄りに設置され、直流電力を交流電力に変換するDC/ACインバータを含む電力変換部と、
前記筐体内の前記第２の吸気口寄りに設置され、直流電力を入力し交流電力を出力するインタフェース部と、
前記筐体の内側から前記第１の吸気口を覆うように設けられ、前記第１の側面とともに、前記第１の吸気口から吸気された空気の流路を形成するカバー部と、
前記筐体の上面と前記電力変換部との間に設けられたファン部と、
前記電力変換部と前記インタフェース部との間に設けられた仕切り板と、
を備え、
前記ファン部は、前記第１の吸気口から吸気され、前記流路に沿って上昇し前記カバー部の上部に設けられた開口を通過した空気と、前記第２の吸気口から吸気され、前記インタフェース部を通過した空気とを吸引し下方の前記電力変換部に送風し、前記排気口は、前記電力変換部の下方に設けられ、前記電力変換部を通過した空気のみを前記筐体の外に排出することを特徴とするパワーコンディショナ装置。
【請求項２】
前記第２の吸気口は、前記第２の側面の下側に設けられるとともに、複数の小吸気口から構成され、
前記第２の吸気口の前記各小吸気口には、前記小吸気口の上縁から前記筐体の外側に向けて突出し、かつ前記小吸気口を覆うように設けられたルーバが設けられていることを特徴とする請求項１に記載のパワーコンディショナ装置。
【請求項３】
前記筐体の内側から前記第２の吸気口を覆うように設けられ、複数の内部吸気口を有するとともに、前記各内部吸気口には、前記内部吸気口の上縁から前記第２の側面に向けて突出し且つ前記内部吸気口を覆う内部ルーバが設けられたルーバ付きカバー部をさらに備えることを特徴とする請求項２に記載のパワーコンディショナ装置。
【請求項４】
前記ルーバ付きカバー部と前記第２の側面との間に設けられ、前記ルーバ付きカバー部の、前記内部ルーバが設けられた面を覆う内部ルーバカバー部であって、前記第２の吸気口よりも上側に設けられ、かつ前記第２の吸気口から吸気した空気を前記内部吸気口に通す上部開口を有する内部ルーバカバー部をさらに備えることを特徴とする請求項３に記載のパワーコンディショナ装置。
【請求項５】
前記内部ルーバカバー部は、前記ルーバ付きカバー部と前記内部ルーバカバー部とで画成される空間に浸入した水滴を排出する下部開口を有することを特徴とする請求項４に記載のパワーコンディショナ装置。
【請求項６】
前記ルーバ付きカバー部は、前記第２の吸気口の下端で前記第２の側面と接続し、かつ前記第２の側面の方向に傾斜した下面を有することを特徴とする請求項３ないし５のいずれかに記載のパワーコンディショナ装置。
【請求項７】
前記第１の側面と前記カバー部により形成された前記流路内に設けられた水滴落し板であって、前記カバー部から前記第１の側面に向けて突設された水滴落とし板および前記第１の側面から前記カバー部に向けて突設された水滴落し板の少なくともいずれかを備えることを特徴とする請求項１ないし６のいずれかに記載のパワーコンディショナ装置。
【請求項８】
前記第１の吸気口は複数の小吸気口から構成され、前記第１の吸気口の前記各小吸気口には、前記小吸気口の上縁から前記筐体の外側に向けて突出し、かつ前記小吸気口を覆うように設けられたルーバが設けられていることを特徴とする請求項１ないし７のいずれかに記載のパワーコンディショナ装置。
【請求項９】
前記カバー部は、前記第１の吸気口の下端で前記第１の側面と接続し、かつ前記第１の側面の方向に傾斜した下面を有することを特徴とする請求項１ないし８のいずれかに記載のパワーコンディショナ装置。
【請求項１０】
請求項１ないし９のいずれかに記載のパワーコンディショナ装置と、
前記パワーコンディショナ装置に直流電力を供給する太陽電池と、
前記パワーコンディショナ装置から供給される交流電力を変圧する変圧装置と、
を備えることを特徴とする太陽光発電システム。
【発明の詳細な説明】
【技術分野】
【０００１】
本発明は、パワーコンディショナ装置および太陽光発電システム、より詳しくは、家屋の外壁や収納ボックスの内面等に取り付けられ、外気により装置内部を冷却するいわゆる外気導入方式を採用したパワーコンディショナ装置、および該パワーコンディショナ装置を含む太陽光発電システムに関する。
【背景技術】
【０００２】
太陽光発電システムには、太陽電池のほか、太陽電池により発電された直流電力を交流電力に変換（ＤＣ／ＡＣ変換）するパワーコンディショナ装置が用いられる。
【０００３】
なお、特許文献１には、複数の電力変換ユニットが格納される電力変換盤においてファンの数を最小限に抑えて各電力変換ユニットに必要風量を確保する電力変換装置が開示されている。
【先行技術文献】
【特許文献】
【０００４】
【特許文献１】特開２０１１−１５４５４号公報
【発明の概要】
【発明が解決しようとする課題】
【０００５】
従来、外気導入方式を採用したパワーコンディショナ装置の一つとして、図６に示すような背面吸気・底面排気構造のパワーコンディショナ装置８０がある。図６は、比較例によるパワーコンディショナ装置８０の背面側から見た斜視図である。
【０００６】
筐体８１の正面には扉８２が設けられ、一方、筐体８１の背面８４の四隅には、パワーコンディショナ装置８０を壁等の取り付け面に取り付けるための固定金具８３が設けられている。また、筐体８１の背面８４には吸気口８５が設けられ、この吸気口８５を覆うようにカバーボックス部８６が取り付けられている。さらに、カバーボックス部８６の左右両側の傾斜面には、外気を吸気する吸気口８７が設けられている。吸気口８７からカバーボックス部８６内に吸気された空気は、背面８４の吸気口８５を通って筐体８１内に吸気される。また、筐体８１内の機器を冷却した空気は、筐体８１の底面に設けられた排気口から排気される。このように、パワーコンディショナ装置８０は、装置内部を冷却するために背面吸気・底面排気構造を採っている。
【０００７】
しかしながら、パワーコンディショナ装置は家屋の壁や収納ボックスの内面などに取り付けられることが多く、使用状態では、筐体の背面は壁等の取り付け面に面している。このため、目詰まり等により吸気口８５のフィルタ交換等のメンテナンスを行う際、パワーコンディショナ装置を取り付け面から取り外す必要があり、メンテナンス時間が増加する要因となっている。
【０００８】
また、筐体８１内に外気を取り込む吸気口が背面の吸気口８５の１カ所のみであるため、吸気口８５のフィルタに目詰まりが発生すると流入風量が大幅に減少する。その場合、装置内部の温度が急激に上昇するため、パワーコンディショナ装置は、出力を最大許容出力の３０〜５０％まで低下させる減力運転を行う。その結果、発電量が大幅に減少してしまうという問題がある。
【０００９】
さらに、屋外に設置されるパワーコンディショナ装置には、高い防水性能も求められる。
【００１０】
そこで、本発明は、吸気口のメンテナンス時間を低減するとともに、発電量を可及的に高く維持することが可能なパワーコンディショナ装置を提供することを目的とする。また、パワーコンディショナ装置の防水性能を向上させることも本発明の目的の一つである。
【課題を解決するための手段】
【００１１】
本発明の一態様に係るパワーコンディショナ装置は、
取り付け面に取り付けられるパワーコンディショナ装置であって、
前記取り付け面と対向する背面と、第１の吸気口が設けられた第１の側面と、第２の吸気口が設けられた第２の側面と、排気口が設けられた下面とを有する直方体形状の筐体と、
前記筐体内の前記第１の吸気口寄りに設置され、直流電力を交流電力に変換するDC/ACインバータを含む電力変換部と、
前記筐体内の前記第２の吸気口寄りに設置され、直流電力を入力し交流電力を出力するインタフェース部と、
前記筐体の内側から前記第１の吸気口を覆うように設けられ、前記第１の側面とともに、前記第１の吸気口から吸気された空気の流路を形成するカバー部と、
前記筐体の上面と前記電力変換部との間に設けられたファン部と、
前記電力変換部と前記インタフェース部との間に設けられた仕切り板と、
を備え、
前記ファン部は、前記第１の吸気口から吸気され、前記流路に沿って上昇し前記カバー部の上部に設けられた開口を通過した空気と、前記第２の吸気口から吸気され、前記インタフェース部を通過した空気とを吸引し下方の前記電力変換部に送風し、前記排気口は、前記電力変換部の下方に設けられ、前記電力変換部を通過した空気のみを前記筐体の外に排出することを特徴とする。
【００１２】
また、前記パワーコンディショナ装置において、
前記第２の吸気口は、前記第２の側面の下側に設けられるとともに、複数の小吸気口から構成され、
前記第２の吸気口の前記各小吸気口には、前記小吸気口の上縁から前記筐体の外側に向けて突出し、かつ前記小吸気口を覆うように設けられたルーバが設けられているようにしてもよい。
【００１３】
また、前記パワーコンディショナ装置において、
前記筐体の内側から前記第２の吸気口を覆うように設けられ、複数の内部吸気口を有するとともに、前記各内部吸気口には、前記内部吸気口の上縁から前記第２の側面に向けて突出し且つ前記内部吸気口を覆う内部ルーバが設けられたルーバ付きカバー部をさらに備えてもよい。
【００１４】
また、前記パワーコンディショナ装置において、
前記ルーバ付きカバー部と前記第２の側面との間に設けられ、前記ルーバ付きカバー部の、前記内部ルーバが設けられた面を覆う内部ルーバカバー部であって、前記第２の吸気口よりも上側に設けられ、かつ前記第２の吸気口から吸気した空気を前記内部吸気口に通す上部開口を有する内部ルーバカバー部をさらに備えてもよい。
【００１５】
また、前記パワーコンディショナ装置において、
前記内部ルーバカバー部は、前記ルーバ付きカバー部と前記内部ルーバカバー部とで画成される空間に浸入した水滴を排出する下部開口を有してもよい。
【００１６】
また、前記パワーコンディショナ装置において、
前記ルーバ付きカバー部は、前記第２の吸気口の下端で前記第２の側面と接続し、かつ前記第２の側面の方向に傾斜した下面を有してもよい。
【００１７】
また、前記パワーコンディショナ装置において、
前記第１の側面と前記カバー部により形成された前記流路内に設けられた水滴落し板であって、前記カバー部から前記第１の側面に向けて突設された水滴落とし板および前記第１の側面から前記カバー部に向けて突設された水滴落し板の少なくともいずれかを備えてもよい。
【００１８】
また、前記パワーコンディショナ装置において、
前記第１の吸気口は複数の小吸気口から構成され、前記第１の吸気口の前記各小吸気口には、前記小吸気口の上縁から前記筐体の外側に向けて突出し、かつ前記小吸気口を覆うように設けられたルーバが設けられていてもよい。
【００１９】
また、前記パワーコンディショナ装置において、
前記カバー部は、前記第１の吸気口の下端で前記第１の側面と接続し、かつ前記第１の側面の方向に傾斜した下面を有してもよい。
【００２０】
本発明の一態様による太陽光発電システムは、
本発明によるパワーコンディショナ装置と、
前記パワーコンディショナ装置に直流電力を供給する太陽電池と、
前記パワーコンディショナ装置から供給される交流電力を変圧する変圧装置と、
を備えることを特徴とする。
【発明の効果】
【００２１】
本発明によるパワーコンディショナ装置によれば、吸気口が筐体の第１および第２の側面にそれぞれ設けられているため、フィルタ交換等のメンテナンスの際に、パワーコンディショナ装置を取り付け面から取り外す必要がなくなり、メンテナンス時間を低減することができる。
【００２２】
さらに、本発明によれば、第２の吸気口から吸気された空気は、ファン部により吸引され、インタフェース部を冷却し、その後、電力変換部を冷却するために利用される。このように、第１の吸気口から吸気された空気だけでなく、第２の吸気口から吸気されインタフェース部を冷却した空気も再利用して、発熱量の大きい電力変換部を冷却する。よって、第１及び第２の吸気口に設けられたフィルタのいずれかに目詰まりが発生した場合でも、他方の吸気口から吸気された空気を用いて発熱量の大部分を占める電力変換部を冷却することができる。このため、パワーコンディショナ装置の内部温度が著しく上昇することを防止し、発電量が大幅に低下する減力運転の発生を抑えることができる。その結果、発電量を高い水準で維持することができる。
【００２３】
また、筐体の内側から第１の吸気口を覆うようにカバー部が設けられているため、第１の吸気口を通って筐体内に入ってきた水滴が電力変換部等の設置空間まで進むことが防止され、パワーコンディショナ装置の防水性能を向上させることができる。
【図面の簡単な説明】
【００２４】
【図１】本発明の実施形態に係るパワーコンディショナ装置の背面側から見た斜視図である。
【図２】本発明の実施形態に係るパワーコンディショナ装置の筐体の断面、および筐体内に設置された電気機器類の上面を示す図である。
【図３】本発明の実施形態に係るパワーコンディショナ装置の筐体の吸気口８付近の断面斜視図である。
【図４】本発明の実施形態に係るパワーコンディショナ装置の筐体の吸気口９付近の断面斜視図である。
【図５】パワーコンディショナ装置を含む太陽光発電システムの概略的な構成を示す図である。
【図６】比較例によるパワーコンディショナ装置の背面側から見た斜視図である。
【発明を実施するための形態】
【００２５】
以下、図面を参照しつつ本発明の実施形態について説明する。なお、各図において同等の機能を有する構成要素には同一の符号を付し、同一符号の構成要素の詳しい説明は繰り返さない。
【００２６】
（太陽光発電システム）
図５を用いて、パワーコンディショナ装置を含む太陽光発電システムの構成について説明する。図５に示すように、太陽光発電システム５００は、パワーコンディショナ装置１と、このパワーコンディショナ装置１に直流電力（例えばＤＣ２００〜５００Ｖ）を供給する太陽電池２００と、変圧装置３００とを備える。パワーコンディショナ装置１は、太陽電池２００から供給された直流電圧を三相交流（例えば２００Ｖ）に変換して出力する。この交流電力は、パワーコンディショナ装置１の出力端と接続された変圧装置３００により高圧（例えば６６００Ｖ）に変圧されて商用配電網に供給される。
【００２７】
（パワーコンディショナ装置）
次に、本発明の実施形態に係るパワーコンディショナ装置１について詳細に説明する。図１は、本発明の実施形態に係るパワーコンディショナ装置１の背面側から見た斜視図を示している。
【００２８】
図１に示すように、パワーコンディショナ装置１は、いわゆる壁掛け型のパワーコンディショナ装置であり、筐体２の背面５の四隅に設けられた固定金具４によって、壁等の取り付け面に取り付けられる。また、筐体２の正面には、筐体２内に設置された電気機器（例えば、直流電力を交流電力に変換するＤＣ／ＡＣインバータ等）や吸気口・排気口のフィルタにアクセスするための扉３が設けられている。
【００２９】
また、図１に示すように、パワーコンディショナ装置１は、筐体２の側面から吸気し、底面から排気するいわゆる側面吸気・底面排気構造となっている。
【００３０】
次に、パワーコンディショナ装置１の内部構造について、図２〜図４を用いて説明する。図２は、パワーコンディショナ装置１の筐体２の断面と、筐体２内に設置された機器類の上面とを示している。なお、図２には、吸気口のフィルタは図示していない。図３は吸気口８付近の断面斜視図を示し、図４は吸気口９付近の断面斜視図を示している。
【００３１】
筐体２は、略直方体形状であり、吸気口８が設けられた側面６と、吸気口９が設けられた側面７と、排気口１１が設けられた下面１０と、上面２３とを有する。
【００３２】
図２に示すように、筐体２内には、電力変換部１２が吸気口８寄り（図２において左側）に設置されている。この電力変換部１２は、直流電力を交流電力に変換するＤＣ／ＡＣインバータを含む。電力変換部１２には、パワーＭＯＳＦＥＴ１２ａやトランス１２ｂ等が設けられている。なお、パワーＭＯＳＦＥＴ１２ａは、冷却効率を上げるため、ヒートシンク１２ｃの側面にネジ止めされている。
【００３３】
また、筐体２内には、直流電力を入力し、交流電力を出力するインタフェース部１３が、吸気口９寄り（図２において右側）に設置されている。インタフェース部１３は発熱量の大きな部品を含まないため、冷却風を軽く流すだけで十分に冷却される。
【００３４】
一方、電力変換部１２はパワーＭＯＳＦＥＴ１２ａやトランス１２ｂ等の熱源を含むため、インタフェース部１３よりも発熱量が格段に多い。よって、装置内部の温度上昇を抑制するために、ファンを用いて電力変換部１２を積極的に冷却する必要がある。
【００３５】
開口付き仕切り板１７は、開口が設けられた仕切り板であり、インタフェース部１３と吸気口９のルーバ付きカバー部３０（後述）との間に配置されている。ルーバ付きカバー部３０の内部吸気口３１を通って筐体内２に流入した空気は、開口付き仕切り板１７の開口を通ってインタフェース部１３が設置された空間に流入する。流入した空気は、ファン部２４に吸引され、斜め上方に流れインタフェース部１３を冷却する。
【００３６】
なお、吸気口９は、側面７の下側に設けられることが好ましい。これにより、吸気口９とファン部２４の間にインタフェース部１３が位置することになり、インタフェース部１３を、吸気口９から吸気された空気によって効率的に冷却することができる。
【００３７】
ファン部２４は、筐体２の上面２３と電力変換部１２との間に設けられている。このファン部２４は上方の空気を吸引し、下方の電力変換部１２に向けて送風する。ファン部２４から送風された空気は、電力変換部１２を冷却した後、筐体２の下面１０に設けられた排気口１１から外部に排出される。
【００３８】
ファン部２４は、吸気口８から吸気され、流路Ｃに沿って上昇しカバー部１１の開口１１ａ（後述）を通過した空気と、吸気口９から吸気され、インタフェース部１３を通過した空気の両方を吸引し、下方の電力変換部１２に送風する。従って、吸気口８及び９のうち一方がフィルタの目詰まり等により空気流入量を減らしたとしても、他方の吸気口により吸気された空気で電力変換部１２を冷却することができる。
【００３９】
排気口１１は、電力変換部１２の下方に設けられ、電力変換部１２を通過した空気のみを筐体２の外に排出するように構成されている。具体的には、排気口１１には、仕切り板（後述の仕切り板１４および２５）と接続した筒状のダクト部１５が取り付けられている。このため、例えばインタフェース部１３を通過した空気が電力変換部１２を通過せずに筐体２の外に排出されること等がなく、吸気口８及び９から吸気した空気を無駄なく電力変換部１２の冷却に用いることができる。
【００４０】
また、筐体２の内側から排気口１１を覆うように、フィルタ１６が設けられている。
【００４１】
仕切り板２５は、電力変換部１２とインタフェース部１３との間に設けられている。この仕切り板２５を設けることにより、筐体２内の冷却風の流路を制御することができる。即ち、吸気口９から吸気され、インタフェース部１３を冷却した空気がファン部２４を介さずに電力変換部１２に流れ込むことや、逆に、電力変換部１２を冷却する空気がインタフェース部１３に流れ込むことを防止することができる。
【００４２】
また、仕切り板１４は、カバー部２０（後述）と電力変換部１２との間に設けられている。この仕切り板１４により、カバー部２０の開口２１を通って筐体２内に流入した空気が、ファン部２４を介さずに電力変換部１２が設置された空間に流れ込むことを防止できる。
【００４３】
なお、仕切り板１４，２５は、電力変換部１２の側板として設けられてもよいし、もしくは、筐体２の一部として、筐体２の内側背面から突出するように設けられてもよい。
【００４４】
また、吸気口８は、側面６の下側に限らず、側面６の中央部または上側に設けられてもよい。
【００４５】
また、図２では、左側に吸気口８、右側に吸気口９を設けているが、逆に配置してもよい。即ち、左側に吸気口９を設け、右側に吸気口８を設けてもよい。この場合には、インタフェース部１３が筐体２の左側に配置され、電力変換部１２が筐体２の右側に配置される。
【００４６】
上記のように、本実施形態では、吸気口８，９が筐体２の側面６，７にそれぞれ設けられている。このため、目詰まりによりフィルタを交換するなどのメンテナンスの際に、パワーコンディショナ装置１を取り付け面から取り外す必要がなくなる。よって、メンテナンス工数を削減し、メンテナンス時間を低減することができる。
【００４７】
また、本実施形態では、吸気口９から吸気された空気は、ファン部２４に吸引され、流れ経路の途中に配置された比較的発熱量の少ないインタフェース部１３を冷却し、その後、電力変換部１２を冷却するために利用される。このように、発熱量の大きい電力変換部１２を冷却するために、吸気口８から吸気された空気だけでなく、吸気口９から吸気されインタフェース部１３の冷却に用いた空気も用いるため、本実施形態によれば、フィルタの目詰まり等によって吸気口８及び９の一方による吸気量が減少した場合でも、発熱量の大部分を占める電力変換部１２を他方の吸気口から吸気された空気を用いて冷却することができる。このため、パワーコンディショナ装置の内部温度が著しく上昇することを防止し、発電量が大幅に低下する減力運転の発生を抑えることができる。その結果、本実施形態によれば、発電量を高い水準で維持することができる。
【００４８】
さらに、本実施形態のパワーコンディショナ装置では、吸気口８，９に様々な工夫を施すことで防水性能を向上させ、防水等級ＪＩＳ  ＩＰＸ４を達成している。
【００４９】
以下、吸気口８および吸気口９付近の構成について詳細に説明する。吸気口８および９はそれぞれ、図１及び図２に示すように、複数の小吸気口１８，１８・・・および２８，２８・・・から構成されている。即ち、吸気口８は複数の小吸気口１８から構成され、吸気口９は複数の小吸気口２８から構成される。また、パワーコンディショナ装置の防水性能を向上させるために、各小吸気口にはルーバ１９，２９が設けられている。ルーバ１９は、図２及び図３に示すように、小吸気口１８の上縁から筐体２の外側に向けて突出し、かつ小吸気口１８を覆うように設けられている。同様に、ルーバ２９は、図２及び図４に示すように、小吸気口２８の上縁から筐体２の外側に向けて突出し、かつ小吸気口２８を覆うように設けられている。ルーバ１９，２９を設けることにより、外部の水滴が直接パワーコンディショナ装置の内部に入ることを防止できる。
【００５０】
また、図３に示すように、吸気口８の内側にはフィルタ３８が設けられている。同様に、図４に示すように、吸気口９の内側にはフィルタ３９が設けられている。
【００５１】
カバー部２０は、筐体２の内側から吸気口８を覆うように設けられ、側面６とともに、吸気口８から吸気された空気をファン部２４に導くための流路Ｃを形成する。また、吸気口８から吸気され流路Ｃを通ってきた空気を筐体２の内部に通すために、カバー部２０の上部に開口２１が設けられている。
【００５２】
カバー部２０を設けることにより、装置外部の水滴が電力変換部１２等の設置空間まで浸入することを抑制するとともに、吸気口８から吸気された空気を流路Ｃにより効率的にファン部２４に導くことができる。
【００５３】
また、流路Ｃ内には、水滴落し板２６および２７が設けられている。水滴落し板２６はカバー部２０から側面６に向けて突設され、水滴落とし板２７は側面６からカバー部２０に向けて突設されている。これにより、吸気口８から入ってきた水滴が流路Ｃの上部側に進むことを防止し、パワーコンディショナ装置の防水性能を向上させることができる。なお、水滴落し板２６および２７のいずれか片方のみを設けるようにしてもよい。
【００５４】
また、カバー部２０は、吸気口８（最も下側に配置された小吸気口１８）の下端で側面６と接続し、かつ側面６の方向に傾斜した下面２２を有する。これにより、吸気口８を介して内部に入ってきた水滴は下面２２に沿って落下し、吸気口８から外部に排出される。その結果、側面６とカバー部２０とで画成される空間内に水滴が溜まることを防止し、パワーコンディショナ装置の防水性能を向上させることができる。
【００５５】
次に、吸気口９の詳細な構成について、図２及び図４を参照しつつ説明する。
【００５６】
ルーバ付きカバー部３０は、筐体２の内側から吸気口９を覆うように設けられ、複数の内部吸気口３１，３１・・・を有する。また、内部吸気口３１の各々には、内部吸気口３１の上縁から側面９に向けて突出し、且つ内部吸気口３１を覆う内部ルーバ３２が設けられている。このようにルーバ付きカバー部３０を設けることにより、通気性を確保するとともに、側面７に設けられたルーバ２９とともに２重ルーバ構造となることでパワーコンディショナ装置の防水性能を向上させることができる。
【００５７】
また、ルーバ付きカバー部３０は、吸気口９（最も下側に配置された小吸気口２８）の下端で側面７と接続し、かつ側面７の方向に傾斜した下面３３を有する。これにより、吸気口９を介して内部に入ってきた水滴は下面３３に沿って落下し、吸気口９から外部に排出される。その結果、側面７とルーバ付きカバー部３０とで画成される空間内に水滴が溜まることを防止し、パワーコンディショナ装置の防水性能を向上させることができる。
【００５８】
また、内部ルーバカバー部３５が設けられている。この内部ルーバカバー部３５は、ルーバ付きカバー部３０と側面７との間に設けられ、ルーバ付きカバー部３０の、内部ルーバ３２が設けられた面を覆う。また、この内部ルーバカバー部３５は、吸気口９（最も上側に配置された小吸気口２８）よりも上側に設けられ、かつ吸気口９から吸気した空気を内部吸気口３１に通すための上部開口３６を有する。この内部ルーバカバー部３５を設けることで、さらにパワーコンディショナ装置の防水性能を向上させることができる。  
また、内部ルーバカバー部３５は、ルーバ付きカバー部３０と内部ルーバカバー部３５とで画成される空間に浸入した水滴を排出するための下部開口３７を有する。これにより、当該空間に水滴が溜まることを防止し、パワーコンディショナ装置の防水性能を向上させることができる。
【００５９】
上記のように、本実施形態では、吸気口８，９に、カバー部２０、ルーバ付きカバー部３０、ルーバ１９，２９等を設けることで、パワーコンディショナ装置の防水性能を向上させることができる。
【００６０】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００６１】
１  パワーコンディショナ装置
２  筐体
３  扉
４  固定金具
５  背面
６，７  （筐体の）側面
８，９  吸気口
１０  （筐体の）下面
１１  排気口
１２  電力変換部
１２ａ  パワーＭＯＳＦＥＴ
１２ｂ  トランス
１２ｃ  ヒートシンク
１３  インタフェース部
１４  仕切り板
１５  ダクト部
１６  フィルタ
１７  開口付き仕切り板
１８  （吸気口８の）小吸気口
１９  （吸気口８の）ルーバ
２０  カバー部
２１  （カバー部の）開口
２２  （カバー部の）下面
２３  （筐体の）上面
２４  ファン部
２５  仕切り板
２６，２７  水滴落し板
２８  （吸気口９の）小吸気口
２９  （吸気口９の）ルーバ
３０  ルーバ付きカバー部
３１  内部吸気口
３２  内部ルーバ
３３  （ルーバ付きカバー部の）下面
３５  内部ルーバカバー部
３６  （内部ルーバカバー部の）上部開口
３７  （内部ルーバカバー部の）下部開口
３８，３９  フィルタ
８０  （比較用の）パワーコンディショナ装置
８１  筐体
８２  扉
８３  固定金具
８４  （筐体の）背面
８５  （背面の）吸気口
８６  カバーボックス部
８７  （カバーボックス部の）吸気口
２００  太陽電池
３００  変圧装置
５００  太陽光発電システム
Ｃ  流路
【図１】
0005774500.tif 000002
【図２】
0005774500.tif 000003
【図３】
0005774500.tif 000004
【図４】
0005774500.tif 000005
【図５】
0005774500.tif 000006
【図６】
0005774500.tif 000007